(57)【要約】【課題】  繊維生地に付着しているシミを抜く為の蒸気発生器であって、軽くて作業性が良く、供給する水の量及び発生する蒸気の量を自由に調整することが可能なシミ抜き蒸気発生器の提供。【解決手段】  本体１３の下側には持ち手１０を設けると共に前方へはヘッド１４を延ばし、該ヘッド先端にはコテ型で蒸気噴出穴１１を有すノズル１を設けている。筒体を成すヘッド１４の内部空間には外周に吸水材３を巻き付けたヒータ２を備えて外周には上記噴出穴１１に連通する蒸気発生室１５を形成し、外部からの水を蒸気発生室１５へ供給する為の給水ホース４を連結すると共に間には給水弁８を設けている。そしてヒータを余熱する為のメインスイッチ６と加熱して蒸気を発生する為のサブスイッチ５を備えている。【選択図】    図１
2005230432.tif 000002
【特許請求の範囲】
【請求項１】
繊維生地に付着しているシミを抜く為の蒸気発生器において、本体の下側には持ち手を設けると共に前方へはヘッドを延ばし、該ヘッド先端にはコテ型で蒸気噴出穴を有すノズルを設け、筒体を成すヘッドの内部空間には外周に吸水材を付設したヒータを備えて外周には上記噴出穴に連通する蒸気発生室を形成し、外部からの水を蒸気発生室へ供給する為の給水ホースを連結すると共に間には給水弁を設け、そしてヒータを余熱する為のメインスイッチと加熱して蒸気を発生する為のサブスイッチを取付けたことを特徴とするシミ抜き蒸気発生器。
【請求項２】
上記給水ホースを本体に連結し、該本体に取付けた給水弁を介在して連結ホースを接続し、そして連結ホースを蒸気発生室へ導いた請求項１記載のシミ抜き蒸気発生器。
【請求項３】
上記吸水材をヒータの周囲に巻き付けた請求項１、又は請求項２記載のシミ抜き蒸気発生器。
【発明の詳細な説明】
【技術分野】
【０００１】
本発明は繊維製品に付着したシミを取除く為のシミ抜き蒸気発生器に関するものである。
【背景技術】
【０００２】
繊維製品に付着した汚れを取除く為に、一般にスプレーガンが使用されている。該スプレーガンにはピストンポンプを備え、ピストンの往復動によって噴射する洗浄液は断続的となり、該洗浄液は霧状を成して繊維製品にかけられ、汚れを落とすことが出来る。スプレーガンは単に繊維製品に付着した汚れに限らず、機械類に狭い隙間に付着している汚れを洗浄する場合にも使われている。
【０００３】
一方、繊維製品には単なる汚れではなく、シミと称される汚れが発生し、これを長期間放置すると酸化して黄変するが、黄変したシミは簡単に取除くことは出来ない。従って、薬品を使って蒸気を吹き付けることでシミ抜き作業をしているのが実状である。ボールペンやマジックなどのインクが付着した場合も、薬品と蒸気を使って除去しているが、該蒸気の吹き付け方法が容易でない。
【０００４】
すなわち、ボイラーで発生した蒸気を導いてノズルから噴出させることは出来るが、そのときの圧力は高くて熱量も大きい為に危険である。又、ノズルで蒸気が液化して繊維製品に滴下することがあり、大量の高温蒸気が当って繊維製品の地色が抜けてしまうこともある。そこで、ハンドタイプのシミ抜き蒸気発生器が知られている。
【０００５】
特許第３４２６３４５号に係る「しみ抜き蒸気発生器」は、本体に蒸気発生室を形成し、前記蒸気発生室にヒータ及び耐熱フェルトなどの吸水材を収容し、前記ヒータを前記吸水材に接触させると共に、前記本体に水タンクを設け、前記吸水材の一端を前記水タンクに挿入し、その水に浸し、さらに前記ヒータの一端に金属製蒸気噴出管を形成し、前記噴出管を外部に突出させ、前記ヒータ及び吸水材によって蒸気を発生させ、これを前記噴出管の内孔に導き、外部に噴出させ、さらに前記ヒータとして円筒状のものを使用し、その外周面に切欠き部を形成し、前記外周面を前記吸収材に接触させると共に、前記ヒータの他端を回転ハンドルに連結し、前記回転ハンドルによって前記ヒータ及び前記噴出管を回転させ、前記切欠きによって前記ヒータと前記吸水材の接触面積を変化させ、蒸気量を調節し、前記噴出管に半径方向孔を形成し、前記半径方向孔を前記内孔及び前記蒸気発生室に連通させ、前記蒸気発生室の蒸気を前記半径方向に通し、前記内孔に導くようにしている。
【０００６】
しかし、この「しみ抜き蒸気発生器」は水タンクを備え、該水タンクに収容されている水を給水材が吸収し、蒸気発生室においてヒータがそれに接して蒸気を発生する仕組みと成っている。そこで、給水材は水タンクの水を毛管現象で吸上げてヒータで加熱することになるが、毛管現象で吸上げられる水の量は限られ、その為に発生する蒸気量は僅かで、付着しているシミが大きい場合には不足することになる。一方、水タンクは持ち手部として機能するが、重くなって作業性は低下する。
【特許文献１】特許第３４２６３４５号に係る「しみ抜き蒸気発生器」
【発明の開示】
【発明が解決しようとする課題】
【０００７】
このように、従来のしみ抜き蒸気発生器には上記のごとき問題がある。本発明が解決しようとする課題はこれら問題点であり、作業性が良くて、供給する水の量及び発生する蒸気の量を自由に調整することが可能なシミ抜き蒸気発生器を提供する。
【課題を解決するための手段】
【０００８】
本発明に係る「シミ抜き蒸気発生器」の基本的な構造は従来の者と共通しているが、本発明では水タンクを備えていない。そこで、外部から導かれるホースを連結し、ホースの途中には供給される水量を調整する調整弁を有し、そして本体には水供給弁を設けている。水供給弁は蒸気発生室への水供給をＯＮ−ＯＦＦすると共に、供給量の調整を可能とする。
【０００９】
蒸気発生室には吸水材が設けられて供給される水を吸収し、該吸収材に吸収されている水を加熱するヒータが設けられている。そして、先端にはノズルを有し、ノズル穴は蒸気発生室と連通して形成されている。従って、蒸気発生室にて発生した蒸気は先端のノズル穴から噴出することが出来る。
【００１０】
一方、本発明のシミ抜き蒸気発生器にはメインスイッチとサブスイッチを備え、メインスイッチをＯＮするならばヒータを余熱することが出来、サブスイッチをＯＮすることで該ヒータが急速加熱される。従って、上記水供給弁とサブスイッチを調整することで、先端ノズルから噴出する蒸気量及び蒸気の温度をコントロールして付着したシミの状態に合わせて使用する。
【発明の効果】
【００１１】
本発明のシミ抜き蒸気発生器は、水タンクを備えていない為にその分軽くて持ち易く、作業性が良くなる。そして、発生器本体へ供給する水量及び上記発生室へ供給される水量は調整可能となっている為に、発生する蒸気の量を自由にコントロールして付着したシミを抜くことが出来る。本発明では、供給水の量を多くすると共に、ヒータの温度を高くすることで発生する蒸気量は多くなり、大きなシミを短時間で抜き取ることが可能である。
【実施例】
【００１２】
図１は本発明に係るシミ抜き蒸気発生器を表している概略図である。外観形状は従来のスプレーガンに類似しているが、ノズルからは洗浄液ではなく蒸気が噴出される。同図の１はコテ型をしたノズル、２はヒータ、３は吸収材、４は給水ホース、５はサブスイッチ、６はメインスイッチ、７は電源コード、８は給水弁、９は連結ホース、１０は持ち手をそれぞれ示している。
【００１３】
上記ノズル１には蒸気が出る噴出穴１１が設けられ、しかもその形状は球体を成して、シミの部分に当てながら蒸気を噴出することが出来るように表面１２は滑らかな曲面と成っている。該ノズル１は本体１３から前方へ延びるヘッド１４の先端に設けられ、該ヘッド１４は筒型を成していて、内部空間には棒状のヒータ２が設けられ、ヒータ２の周囲には吸水材３が巻かれている。
【００１４】
そして、吸水材３が巻かれたヒータと内部空間の隙間は蒸気発生室１５と成り、該空間に供給された水はきょう吸水材３に吸収されると共にヒータ２の熱で加熱され、蒸気が発生する。この蒸気はノズル１の噴出穴１１から噴出することが出来る。水は供給ホース４を流れて外部から供給され、給水弁８を介して連結ホース９を流れてヘッド１４の蒸気発生室１５へ導かれる。
【００１５】
図２は水の供給経路を示している拡大図であり、給水ホース４には図示していない流量調整弁が設けられ、適量の水が該給水ホース４を流れ、給水弁８のボタン１６を押圧するならば、弁１７が開いて連結ホース９へ水が流れる。該弁１７はボタン１６と連結され、弁１７にはコイルバネ１８のバネ力が付勢されて常時閉じている。しかし、ボタン１６を押圧することでコイルバネ１８を圧縮して弁１７は流路を開き、供給ホース４からの水を連結ホース９へ流すことが出来る。
【００１６】
連結ホース９がヘッド１４の蒸気発生室１５に連通していて、蒸気発生室１５に供給された水はヒータ２の周囲に巻かれている吸水材３に吸収され、ヒータ２にて加熱される。ところで、本体１３の下側には持ち手１０が設けられ、該持ち手１０の下端にはメインスイッチ６を有している。このメインスイッチ６をＯＮするならば、電源コード７から電流が流れてヒータ２を余熱することが出来る。しかし、蒸気が発生する温度ではない。
【００１７】
そして、シミ抜き作業を開始する際には、持ち手１０に設けているサブスイッチ５をＯＮすることで、電流の流れが大きく成ってヒータ２はさらに加熱されて蒸気が発生する。サブスイッチ５は持ち手１０を握りながら押えることでＯＮされ、電流量が大きくなる。
【００１８】
ところで、本発明のシミ抜き蒸気発生器の使い方は特に限定しないが、シミが付着している箇所に薬品を施し、該シミにノズル１を当てて蒸気を噴出することでシミを抜くことが出来る。この際、噴出蒸気の量は給水弁８を操作すると共に、サブスイッチ５を適度に握ることでコントロールすることが出来る。
【図面の簡単な説明】
【００１９】
【図１】本発明に係るシミ抜き蒸気発生器を示す実施例。
【図２】蒸気発生室への水の供給経路。
【符号の説明】
【００２０】
１  ノズル
２  ヒータ
３  吸水材
４  給水ホース
５  サブスイッチ
６  メインスイッチ
７  電源コード
８  給水弁
９  連結ホース
10  持ち手
11  噴出穴
12  表面
13  本体
14  ヘッド
15  蒸気発生室
16  ボタン
17  弁
18  コイルバネ
【図１】
2005230432.tif 000003
【図２】
2005230432.tif 000004